(57)【要約】      （修正有）【課題】広角照明を実現すべく、異なる方向に発光する複数のＬＥＤが取り付けられる広い領域を備えるＬＥＤ照明装置を提供する。【解決手段】ＬＥＤ照明装置は、口金１０と、回路基板組立体２０と、バルブ３０とを含む。前記回路基板組立体は、電気的に接続するように前記口金に取り付けられており、交差部を備える光フレームを形成すべく相互に交差する複数の回路基板２１，２２を有する。回路基板組立体は、さらに、前記光フレームの上端に取り付けられた上端回路基板を有する。その上端回路基板は、自身に取り付けられた複数のＬＥＤ２３を有する。前記回路基板が、前記光フレームを構成すべく相互に交差するため、前記光フレームは、複数のＬＥＤを取り付ける広い表面領域を備える。【選択図】図１
0003167100.tif 000002
【実用新案登録請求の範囲】
【請求項１】
内部空間を有する口金と、
前記内部空間に受け入れられた絶縁性基部と、
前記絶縁性基部に固定された回路基板組立体と、
前記口金に固定されたバルブであって、前記回路基板組立体と前記絶縁性基部とを覆うバルブとを含み、
前記回路基板組立体は、交差部を備えた光フレームを形成すべく相互に交差した複数の回路基板と、各回路基板の両面の長手縁部に取り付けられた複数のＬＥＤであって異なる方向へ発光する複数のＬＥＤとを有する、ＬＥＤ照明装置。
【請求項２】
前記回路基板組立体は、前記絶縁性基部と反対側の前記光フレームの一端に取り付けられた上端回路基板であって、前記回路基板に電気的に接続された上端回路基板と、該上端回路基板に取り付けられた複数のＬＥＤとを含む、請求項１に記載のＬＥＤ照明装置。
【請求項３】
前記上端回路基板は十字状である、請求項２に記載のＬＥＤ照明装置。
【請求項４】
前記上端回路基板は円板状である、請求項２に記載のＬＥＤ照明装置。
【請求項５】
前記上端回路基板は矩形である、請求項２に記載のＬＥＤ照明装置。
【請求項６】
前記回路基板組立体は、前記光フレームの端部に形成された突出部を有し、前記上端回路基板は、前記突出部に係合する貫通穴を有する、請求項２に記載のＬＥＤ照明装置。
【請求項７】
前記回路基板組立体は、前記光フレームの前記端部に形成された突出部を有し、前記上端回路基板は、前記突出部に係合する貫通穴を有する、請求項３から５のいずれか１項に記載のＬＥＤ照明装置。
【請求項８】
前記回路基板組立体は、各回路基板の上端の付近に取り付けられた複数の上部ＬＥＤであって、前記絶縁性基部と反対の方向に向かって発光する上部ＬＥＤを有する、請求項１に記載のＬＥＤ照明装置。
【請求項９】
前記上部ＬＥＤは前記回路基板に垂直に取り付けられている、請求項８に記載のＬＥＤ照明装置。
【請求項１０】
前記上部ＬＥＤと、各回路基板の長手縁部に取り付けられた前記ＬＥＤとから放出される光は、それぞれ、直交する異なる方向に向かう、請求項８に記載のＬＥＤ照明装置。
【請求項１１】
前記絶縁性基部はガラス製である、請求項１に記載のＬＥＤ照明装置。
【請求項１２】
前記バルブは蝋燭の炎の形状である、請求項１に記載のＬＥＤ照明装置。
【請求項１３】
前記バルブは球状である、請求項１に記載のＬＥＤ照明装置。
【請求項１４】
前記光フレームの前記突出部は前記回路基板のいずれか１つの上端に形成されている、請求項６に記載のＬＥＤ照明装置。
【請求項１５】
前記光フレームの前記突出部は前記回路基板のいずれか１つの上端に形成されている、請求項７に記載のＬＥＤ照明装置。
【請求項１６】
各回路基板はスロットを有する、請求項１に記載のＬＥＤ照明装置。
【考案の詳細な説明】
【技術分野】
【０００１】
本考案は、照明装置に関し、特に広角照明のＬＥＤ照明装置に関する。
【背景技術】
【０００２】
発光ダイオード（ＬＥＤ）の消費電力が比較的小さいため、ＬＥＤ照明装置は、ますます市場に受け入れられ、従来の照明素子に代わろうとしている。図１０を参照するに、従来のＬＥＤ電球は、発光用に取り付けられた複数のＬＥＤ５１を備える円形の回路基板５０を含む。
【０００３】
ＬＥＤ５１が発する光には指向性がある。もし複数のＬＥＤ５１が同一面に取り付けられていると、複数のＬＥＤ５１からの光は同一方向に向けて照射される。したがって、従来のＬＥＤ電球は広角の照明領域を提供できなかった。
【０００４】
この欠点を克服すべく、本考案は、上記問題を軽減し又は取り除くＬＥＤ照明装置を提供する。
【考案の概要】
【考案が解決しようとする課題】
【０００５】
本考案の主な目的は、広角照明を実現すべく、異なる方向に発光する複数のＬＥＤが取り付けられる広い領域を備えるＬＥＤ照明装置を提供することにある。
【課題を解決するための手段】
【０００６】
本考案に係るＬＥＤ照明装置は、口金と、回路基板組立体と、バルブとを含む。前記回路基板組立体は、前記口金に電気的に接続するように取り付けられており、交差部を備える光フレームを形成するように相互に交差した複数の回路基板と、該回路基板に取り付けられた複数のＬＥＤとを有する。前記回路基板組立体は、さらに、前記光フレームの一端に取り付けられた上端回路基板を有することができる。その上端回路基板は、また、自身に取り付けられた複数のＬＥＤを有することができる。
【考案の効果】
【０００７】
前記複数の回路基板が相互に交差していることから、前記光フレームは、複数のＬＥＤが取り付けられる広い表面領域を有する。したがって、ＬＥＤ照明装置は、改善された照度を備える広角照明領域を提供する。
【０００８】
本考案のその他の目的、利点及び新規な特徴は、添付図面を参照し、以下の詳細な説明から明らかになる。
【図面の簡単な説明】
【０００９】
【図１】本考案に従った、ＬＥＤ照明装置の第１の実施例の分解斜視図。
【図２】図１に示したＬＥＤ照明装置の組立斜視図。
【図３】本考案に従った、ＬＥＤ照明装置における回路基板組立体の第１の実施例の分解斜視図。
【図４】本考案に従った、ＬＥＤ照明装置の第２の実施例の分解斜視図。
【図５】図４に示したＬＥＤ照明装置の組立斜視図。
【図６】本考案に従った、ＬＥＤ照明装置の回路基板組立体の第２の実施例の部分分解斜視図。
【図７】本考案に従った、ＬＥＤ照明装置の回路基板組立体の第３の実施例の部分分解斜視図。
【図８】本考案に従った、ＬＥＤ照明装置の回路基板組立体の第４の実施例の部分分解斜視図。
【図９】本考案に従った、ＬＥＤ照明装置に取り付けられた回路基板組立体の第５の実施例の斜視図。
【図１０】従来のＬＥＤ電球の斜視図。
【考案を実施するための形態】
【００１０】
図１を参照するに、本考案に係るＬＥＤ照明装置の第１の実施例は、口金１０と、回路基板組立体２０と、バルブ３０とを含む。
【００１１】
口金１０は、基部１１を受け入れる内部空間を有する。口金１０は、導電体で製作されており、ソケットに電気的に接続するねじ込み用の外面を有する。基部１１は、絶縁性の基部であり、例えば、ガラス製の基部である。
【００１２】
さらに、図４から９を参照するに、回路基板組立体２０は、基部１１に固定され、口金１０に電気的に接続されている。回路基板組立体２０は、本考案に係る種々の実施例を有し、複数の回路基板２１、２２及び複数のＬＥＤ２３を含む。回路基板２１、２２は、交差部を備える光フレームを形成するように相互に交差している。回路基板２１、２２は、それぞれ、スロット２１０、２２０を有し、光フレームを形成すべく回路基板２１、２２がスロット２１０、２２０によって相互に交差している。回路基板２１，２２は、放熱性に優れたアルミニウム製の印刷配線板（ＰＣＢ）である。ＬＥＤ２３は、各回路基板２１、２２の両面に取り付けられている。複数のＬＥＤ２３は、各回路基板２１、２２の長手縁部の直線上に配置されている。回路基板組立体２０は、基部１１を貫通して伸び、かつ電力を供給されるべく口金１０に電気的に接続するワイヤ２５又は端子を含む。
【００１３】
バルブ３０は、口金１０の周囲に強固に固定されており、特定の形状に限定されない。例えば、バルブ３０は、図１に示すような蝋燭の炎形状、又は図４に示すような球状とすることができる。
【００１４】
回路基板組立体２０は、さらに、基部１１と反対側の光フレームの一端に取り付けられた上端回路基板２６を含む。上端回路基板２６は、回路基板２１、２２に電気的に接続されており、また照明領域を広げかつ照明効果を改善すべく、上端回路基板２６に取り付けられた複数のＬＥＤ２３ａを有する。上端回路基板２６は、図６から８に示すように、十字状、円板状、矩形状とすることができる。前記光フレームと上端回路基板２６とを強固に結合すべく、前記光フレームの一端は突出部２１１を有し、上端回路基板２６は、突出部２１１に対応して取り付けられる貫通穴２６０を有する。突出部２１１は、回路基板２１、２２のいずれか一方の上端に形成される。
【００１５】
図９を参照するに、回路基板組立体２０は、さらに、基部１１と反対側の各回路基板２１、２２の上端の付近に各回路基板２１に垂直に取り付けられた複数の上部ＬＥＤ２３ｂを含む。したがって、前記上端付近の上部ＬＥＤ２３ｂは、前記長手縁部に取り付けられたＬＥＤ２３から放出される光の進行方向と異なる方向であって基部１１と反対側の方向に発光する。前記上端の付近の上部ＬＥＤ２３ｂからの光と、前記長手縁部のＬＥＤ２３からの光とが直交するから、この配置は、前記ＬＥＤ照明装置が広範囲照明領域を作り出すことを可能にする。
【００１６】
本考案は以下の利点を有する。
【００１７】
１．広いＬＥＤ取り付け面
【００１８】
回路基板組立体の回路基板２１、２２は、照明強度を改善する複数のＬＥＤを取り付けるために充分な広さの表面を備える３次元の光フレームを形成するように配置され、広角照明を提供する。
【００１９】
２．優れた放熱効果
【００２０】
１つの回路基板に整列したＬＥＤの集合が、他の回路基板に取り付けられた他のＬＥＤの集合から間隔をおいて配置されているため、発生する熱が効率的に放散される。
【００２１】
前述のように、本考案の構造および機能の詳細と共に、本考案の特徴および利点を開示したが、これらは実施例に過ぎない。変更、特に形状や大きさ、部品の配置の変更は、添付の実用新案登録請求の範囲の用語の広義の一般的意味によって示される全範囲にわたって可能である。
【符号の説明】
【００２２】
１０    口金
１１    絶縁性基部
２０    回路基板組立体
２１    回路基板
２３、２３ａ    ＬＥＤ
２３ｂ    上部ＬＥＤ
２６    上端回路基板
３０    バルブ
２１０    スロット
２１１    突出部
２６０    貫通穴
【図１】
0003167100.tif 000003
【図２】
0003167100.tif 000004
【図３】
0003167100.tif 000005
【図４】
0003167100.tif 000006
【図５】
0003167100.tif 000007
【図６】
0003167100.tif 000008
【図７】
0003167100.tif 000009
【図８】
0003167100.tif 000010
【図９】
0003167100.tif 000011
【図１０】
0003167100.tif 000012